(57)【要約】【課題】弾性フィルムと表面材料である不織ウェブとを積層した伸縮シート部を使用した外装体に吸収性部材を固着したパンツ型吸収性物品であっても、吸収性部材内の吸収体に意図しない変形が生じにくく、高い吸収性を維持することができるパンツ型吸収性物品を提供すること。【解決手段】パンツ型吸収性物品は、伸縮性フィルムと第１の不織シートとが積層された伸縮シート部を少なくとも一部に含む外装体と、外装体に固着される吸収性部材と、を備えるパンツ型吸収性物品であって、外装体の伸縮シート部は、伸縮性フィルムと第１の不織シートとを含む第１の部分と、伸縮性フィルムの少なくとも一部を破壊することで、第１の部分よりも伸縮性を低減した第２の部分と、を含む伸縮性制御領域を備え、外装体の伸縮シート部は、パンツ型吸収性物品の正面視において吸収体と重複する重複領域を有し、重複領域において、伸縮シート部は伸縮性制御領域を備える。【選択図】図１
2016202802.tif 000002
【特許請求の範囲】
【請求項１】
伸縮性フィルムと第１の不織シートとが積層された伸縮シート部を少なくとも一部に含む外装体と、
前記外装体に固着される固着部を有し、吸収体を含む吸収性部材と、
を備えるパンツ型吸収性物品であって、
前記外装体の前記伸縮シート部は、前記伸縮性フィルムと前記第１の不織シートとを含む第１の部分と、前記伸縮性フィルムの少なくとも一部を破壊することで、前記第１の部分よりも伸縮性を低減した第２の部分と、を含む伸縮性制御領域を備え、
前記外装体の前記伸縮シート部は、前記パンツ型吸収性物品の正面視において前記吸収体と重複する重複領域を有し、
前記重複領域において、前記伸縮シート部は、前記伸縮性制御領域を備えることを特徴とするパンツ型吸収性物品。
【請求項２】
請求項１記載のパンツ型吸収性物品であって、
前記伸縮性制御領域は、複数の前記第１の部分と複数の前記第２の部分とを備え、前記第１の部分と前記第２の部分とが交互に配置されることを特徴とするパンツ型吸収性物品。
【請求項３】
請求項２記載のパンツ型吸収性物品であって、
複数の前記第１の部分と複数の前記第２の部分とは、千鳥状に配列されることを特徴とするパンツ型吸収性物品。
【請求項４】
請求項２または３記載のパンツ型吸収性物品であって、
前記第１の部分と前記第２の部分とは、一辺の長さが０．３ｍｍ以上２．０ｍｍ以下の矩形形状であることを特徴とするパンツ型吸収性物品。
【請求項５】
請求項１から４のいずれかに記載のパンツ型吸収性物品であって、
前記パンツ型吸収性物品にはウエスト開口部および脚開口部が定義され、
前記外装体の前記伸縮シート部は、さらに、前記ウエスト開口部周りおよび前記脚開口部周りの少なくとも一方において、前記伸縮性制御領域を備えることを特徴とするパンツ型吸収性物品。
【請求項６】
請求項１から５のいずれかに記載のパンツ型吸収性物品であって、
前記伸縮性フィルムは、着色されたものであることを特徴とするパンツ型吸収性物品。
【請求項７】
請求項１から６のいずれかに記載のパンツ型吸収性物品であって、
前記第２の部分は、超音波印加によって形成されることを特徴とするパンツ型吸収性物品。
【発明の詳細な説明】
【技術分野】
【０００１】
本発明は、パンツ型吸収性物品に関する。
【背景技術】
【０００２】
従来のパンツ型吸収性物品は、着用をしやすく、かつ、装着中の良好なフィット性を実現するために、ウエスト開口部の周りなどに糸ゴムによるギャザーが設けられ、これが外観的特徴の１つとなっていた。しかし、このような外観的特徴は、布製下着とは異なる印象を与え、着用者に好まれるものではなかった。そこで、このような外観上の問題を改善するために、表面材料である不織ウェブと弾性フィルムとを積層した伸縮シート部を外装体として使用したパンツ型吸収性物品が提案されている。
【０００３】
例えば、特許文献１には、ポリウレタン、ポリエーテルアミド、ポリエステルエラストマー及びこれらの組み合わせからなるグループから選択されたポリマーを含む通気性弾性フィルムと、フィルムに結合された、互いに直交する２方向に引伸ばし可能なスパンボンド不織シートの不織表面材料と、を含む２軸弾性引伸ばし性の通気性積層体を使用して、おむつおよびパーソナルケア製品の外装体を形成する技術が開示されている。
【先行技術文献】
【特許文献】
【０００４】
【特許文献１】特開２００８−２７９７７４号公報
【発明の概要】
【発明が解決しようとする課題】
【０００５】
しかしながら、弾性フィルムと表面材料である不織ウェブとを積層した伸縮シート部とを備える外装体に吸収性部材を固着した場合、伸縮シート部の伸縮性によって吸収性部材内の吸収体が意図しない形状に変形しやすかった。吸収体は体液の吸収を担う部分であるため、この変形によって、吸収体を含む吸収性部材が着用者に密着しづらくなり、かつ、吸収体による体液の吸収が阻害されるおそれがあった。さらに、このような変形は、パンツ型吸収性物品の着用感を悪化させる一因ともなっていた。
【０００６】
従って、本発明はこのような課題に鑑みてなされたものであり、その目的は、弾性フィルムと表面材料である不織ウェブとを積層した伸縮シート部を使用した外装体に吸収性部材を固着したパンツ型吸収性物品であっても、吸収性部材内の吸収体に意図しない変形が生じにくく、高い吸収性を維持することができるとともに、良好な着用感を供することができるパンツ型吸収性物品を提供することにある。
【課題を解決するための手段】
【０００７】
（１）  本発明の一実施形態に係るパンツ型吸収性物品は、伸縮性フィルムと第１の不織シートとが積層された伸縮シート部を少なくとも一部に含む外装体と、上記外装体に固着される固着部を有し、吸収体を含む吸収性部材と、を備えるパンツ型吸収性物品であって、上記外装体の上記伸縮シート部は、上記伸縮性フィルムと上記第１の不織シートとを含む第１の部分と、上記伸縮性フィルムの少なくとも一部を破壊することで、上記第１の部分よりも伸縮性を低減した第２の部分と、を含む伸縮性制御領域を備え、上記外装体の上記伸縮シート部は、上記パンツ型吸収性物品の正面視において上記吸収体と重複する重複領域を有し、上記重複領域において、上記伸縮シート部は、上記伸縮性制御領域を備えることを特徴とする。
（２）  本発明の他実施形態に係るパンツ型吸収性物品は、上記（１）記載のパンツ型吸収性物品であって、上記伸縮性制御領域は、複数の上記第１の部分と複数の上記第２の部分とを備え、上記第１の部分と上記第２の部分とが交互に配置されることを特徴とする。
（３）  本発明の他実施形態に係るパンツ型吸収性物品は、上記（２）記載のパンツ型吸収性物品であって、複数の上記第１の部分と複数の上記第２の部分とは、千鳥状に配列されることを特徴とする。
（４）  本発明の他実施形態に係るパンツ型吸収性物品は、上記（２）または（３）記載のパンツ型吸収性物品であって、上記第１の部分と上記第２の部分とは、一辺の長さが０．３ｍｍ以上２．０ｍｍ以下であることを特徴とする。
（５）  本発明の他実施形態に係るパンツ型吸収性物品は、上記（１）から（４）のいずれかに記載のパンツ型吸収性物品であって、上記パンツ型吸収性物品にはウエスト開口部および脚開口部が定義され、上記外装体の上記伸縮シート部は、さらに、上記ウエスト開口部周りおよび上記脚開口部周りの少なくとも一方において、上記伸縮性制御領域を備えることを特徴とする。
（６）  本発明の他実施形態に係るパンツ型吸収性物品は、上記（１）から（５）のいずれかに記載のパンツ型吸収性物品であって、上記伸縮性フィルムは、着色されたものであることを特徴とする。
（７）  本発明の他実施形態に係るパンツ型吸収性物品は、上記（１）から（６）のいずれかに記載のパンツ型吸収性物品であって、上記第２の部分は、超音波印加によって形成されることを特徴とする。
【発明の効果】
【０００８】
本発明の一実施形態に係るパンツ型吸収性物品は、布製下着のように略全体的に収縮するという快適な着用感を供することができるとともに、吸収性部材内の吸収体に意図しない変形が生じにくく、高い吸収性を維持することができるものである。また、本発明の一実施形態に係るパンツ型吸収性物品は、上記機能とともに、配置パターンを幾何学模様にすることなどによって、より良好な外観を得ることができるものである。
【図面の簡単な説明】
【０００９】
【図１】本発明の一実施形態にかかるパンツ型吸収性物品の正面図である。
【図２】本発明の一実施形態にかかるパンツ型吸収性物品の展開状態における展開平面図である。
【図３】本発明の一実施形態にかかるパンツ型吸収性物品の腹側伸縮性制御領域を説明する説明図である。
【図４】本発明の一実施形態にかかるパンツ型吸収性物品の背側伸縮性制御領域を説明する説明図である。
【図５】本発明の一実施形態にかかるパンツ型吸収性物品の外装体に用いられる伸縮シート部の一部を切り出し、便宜的に各層を離間して図示した伸縮シート部の構造説明図である。
【図６】伸縮性制御領域の第１の部分と第２の部分とのパターンの一例を示す説明図である。
【図７】（ａ）は本発明の一実施形態に係るパンツ型吸収性物品の製造方法の一例を説明するための製造ラインの部分概略図であり、（ｂ）は（ａ）の第３工程を説明する説明図である。
【図８】図７（ａ）の第４工程を説明するための説明図であり、特に第４工程に使用する加工ロールおよびアンビルロールを拡大して示す斜視説明図である。
【発明を実施するための形態】
【００１０】
図１から図５を参照して、本発明の実施形態に係るパンツ型吸収性物品１を説明する。なお、本実施形態の説明は、特に説明がない限り、全体を通して同じ要素には同じ番号を付している。なお、本明細書の説明において、パンツ型吸収性物品１の長手方向は、パンツ型吸収性物品１が着用されたときに着用者の前後にわたる方向であり、パンツ型吸収性物品１の短手方向は、長手方向に対して横切り又は直交する方向を意味する。また、本明細書の説明において、体液とは、尿、血液や軟便中の水分などの体内から体外に排出された液体をいう。本実施形態のパンツ型吸収性物品１は、使い捨ておむつ、小児用トレーニングパンツ、失禁用物品、女性の生理用物品などとして用いることができる。また、本明細書の説明において、不織シートとは、繊維を織らずに絡み合わせた不織ウェブをシート状としたものを意味する。
【００１１】
図１は、本発明の実施形態に係るパンツ型吸収性物品１を示す正面図であり、図２は、図１のパンツ型吸収性物品１を展開した状態の展開平面図である。なお、図２においては、便宜上サイドシール部１５０の図示を省略している。図１に示すように、パンツ型吸収性物品１は、ウエスト開口部ＷＨおよび脚開口部ＬＨとの少なくとも一部を定義する外装体１００と、外装体１００の肌当接面側の表面に固着された吸収性部材２００とを備える。パンツ型吸収性物品１は、腹側領域３１と背側領域３２とそれらを繋ぐ股部領域３３とを備え、腹側領域３１と背側領域３２に位置する部分を重ね合わせて、腹側領域３１の腹側外装体１０２および背側領域３２の背側外装体１０４を対向配置し、それらの側端部を相互に固着して、サイドシール部１５０を形成することで、ウエスト開口部ＷＨおよび脚開口部ＬＨとが定義されたものである。なお、サイドシール部１５０は、溶着や接着などの公知の方法によって形成することができ、着用者からパンツ型吸収性物品１を除去しやすいように、破断可能に形成されていてもよい。
【００１２】
また、パンツ型吸収性物品１には、ウエスト開口部ＷＨおよび脚開口部ＬＨの少なくとも一方に沿って、一または複数条の弾性部材１６１，１６２が設けられていてもよい。この場合、弾性部材１６１，１６２は、弾性部材１６１，１６２を伸張した状態で外装体１００に固着することで、外装体１００を含むパンツ型吸収性物品１を着用者のウエスト及び脚周りに対して伸縮して保持するように構成される。弾性部材１６１，１６２は、糸状、ストリップ状、ウエストベルト状などの細長形状を有し、例えば、糸ゴム、不織シートに糸ゴムが固着されたウエストベルト、弾性フィルム、弾性発泡材、エラストマー布などを材料として用いることができる。さらにまた、図示はしていないが、パンツ型吸収性物品１には、腹側領域３１から股部領域３３を経て背側領域３２に渡って、左右一対のレッグギャザーを設けることもできる。レッグギャザーは、例えば、糸ゴムなどの弾性部材と不織シート等のシートによって形成される。レッグギャザーを設けることにより、股下周りの部位におけるフィット感を向上することができる。
【００１３】
（吸収性部材２００）
パンツ型吸収性物品１は、肌当接面側からの体液を吸収するために配置される吸収性部材２００を備える。吸収性部材２００は、肌当接面側に配置された液透過性のトップシートと、トップシートに対向して配置された非肌当接面側の液不透過性のバックシートと、トップシートとバックシートとの間に配置された吸収体２２０とを少なくとも備える。このようにして、吸収体２２０は、トップシートとバックシートとの間に挟まれた構造となっている。なお、図１から図４において、吸収体２２０は一点鎖線部にて示されている。なお、図示はしないが、吸収性部材２００には、裏面不織シートがバックシートの非肌当接面側に積層されていていてもよいし、補助シートなどの他の部材がさらに含まれてもよい。
【００１４】
吸収性部材２００を構成する各部材は、外装体１００と異なり、吸収性能を重視するため、後述する伸縮シート部１２０を含まないか、少なくとも伸縮シート部１２０よりも伸縮性が低いものであってもよい。すなわち、吸収性部材２００を構成するトップシート、バックシート及び吸収体２２０の少なくとも一つは、実質的に非伸縮性か、または、伸縮シート部１２０よりも伸縮性が低いものであってもよい。
【００１５】
トップシートの基材は、体液が吸収体２２０へと移動するように液透過性を備えていればよく、例えば、サーマルボンド不織シート等の不織シート、サーマルボンド／スパンボンドを積層した複合不織シート、開口ポリエチレンフィルム等の開口性フィルム、ポリエチレンフォーム、ウレタンフォーム等の発泡フィルム、あるいは、これらを積層した複合シートといった材料から形成される。また、トップシートは、液透過性を向上させるために、表面にエンボス加工や穿孔加工を施してもよい。その加工方法は、公知の方法を制限なく行うことができる。また、肌への刺激を低減させるために、トップシートには、ローション、酸化防止剤、抗炎症成分、ｐＨ調整剤、抗菌剤、保湿剤等を含有させてもよい。さらに、強度および加工性の点から、トップシートの坪量は、１４ｇ／ｍ２以上４０ｇ／ｍ２以下であることが好ましい。トップシートの形状としては、特に制限はないが、トップシートとバックシートとは、吸収体２２０よりも面積が大きいものであってもよく、吸収性部材２００の長手方向端部の少なくとも一部において、吸収体２２０が設けられていないことにより吸収性部材２００の厚みが薄くなった部分を有してもよい。
【００１６】
なお、トップシートの肌当接面側には、吸収体２２０の長手方向の両側縁部に沿って、体液の漏れを防止する立体ギャザーを設けてもよい。吸収体２２０の短手方向における立体ギャザーの外端部は、バックシートに固定され、同短手方向における立体ギャザーの内端部は、長手方向前後部がトップシートに固着され、前後部間の中央部はトップシートに固定されない自由端となっており、吸収体２２０の長手方向に沿って糸ゴム等の立体ギャザー用弾性部材と不織シート等のシートによって形成されることで、起立性を有し、使用者の体型に合わせて伸縮自在に変形可能となるように設けられる。
【００１７】
バックシートの基材は、吸収体２２０が保持する体液が漏れないように液不透過性を備えたものであればよく、不織シート、樹脂フィルム、あるいはこれらを積層した複合シートといった材料から形成される。不織シートは、製法が特に限定されることはなく、例えば、スパンボンドやメルトブロー不織シート、あるいは、スパンボンド／メルトブロー、スパンボンド／メルトブロー／スパンボンドを積層した複合不織シート、及びこれらの複合材料が考えられる。また、樹脂フィルムとしては、例えば、ポリエステル、ポリビニルアルコール、ポリエチレン、ポリプロピレン、ポリエチレンとポリプロピレンの複合フィルム等を用いることができる。また、装着時の蒸れを防止するために、バックシートは、透湿性を備えさせてもよい。例えば、バックシートの基材にフィラーを配合することや、バックシートに穿孔のためのエンボス加工を施すことで、バックシートに透湿性を備えさせることができる。
【００１８】
裏面不織シートの基材には、例えば、スパンボンドやメルトブロー不織シート、あるいは、スパンボンド／メルトブロー、スパンボンド／メルトブロー／スパンボンドを積層した複合不織シート、及びこれらの複合材料を用いることができる。
【００１９】
吸収体２２０の基材は、一般に生理用ナプキン、おむつや尿パッド等の吸収性物品に使用されるものであれば特に制限はなく、パルプ繊維等の液体吸収性繊維を所定形状に成形したものを含み、液体吸収性繊維に高吸水性樹脂（ＳＡＰ）を含有させたものであってもよい。例えば、吸収体２２０は、フラッフパルプ、親水性シートおよび高吸収性樹脂を備える。この例の場合、高吸水性樹脂が混入または囲繞された液体吸収性繊維を成形して成形体をなし、高吸水性樹脂粒子の漏洩防止や吸収性部材の形状を安定させるために、この成形体をティシュのような親水性シート（図示せず）によって被覆することで形成される。フラッフパルプとしては、例えば、木材パルプ及び合成繊維、ポリマー繊維等の非木材パルプを綿状に解繊したものがある。また、高吸水性樹脂は、吸液により膨潤等して高い液体の保持性能を有した高分子重合体を備える粒状の樹脂体であり、例えば、ポリアクリル酸ナトリウム系が挙げられる。親水性シートとしては、ティシュ、吸収紙、親水性不織シートが例として挙げられる。
【００２０】
吸収体２２０は、上記の吸収体２２０の基材を単層あるいは複数層に積層して構成される。さらに、吸収体２２０の表面にエンボス加工を施すことで、体液の拡散をコントロールすると共に、着用者の体型に応じて吸収体２２０を容易に変形可能とすることもできる。
【００２１】
図１および図２に示すように、吸収性部材２００は、少なくとも吸収性部材２００の長手方向両端部において、外装体１００の肌当接面側の表面に固着された固着部２４２，２４４を備える。つまり、吸収性部材２００の長手方向端部の非肌当接面側の表面が腹側外装体１０２の肌当接面側の表面に固着されて、吸収性部材２００に固着部２４２が形成され、吸収性部材２００の長手方向端部の非肌当接面側の表面を背側外装体１０４の肌当接面側の表面に固着することで、吸収性部材２００に固着部２４４が形成される。この固着部２４２，２４４は、例えば、ホットメルト接着剤等による接着、熱や超音波等を用いた溶着などの公知の方法によって形成することができる。固着部２４２，２４４は、その全体が外装体１００に固着されていてもよいし、外装体１００と吸収性部材２００との接合部を点状または線状に離間して設けることによって部分的に固着されてもよい。
【００２２】
そして、パンツ型吸収性物品１の短手方向において、外装体１００の下端部１０９ａ，１０９ｂに重なる部分の吸収性部材２００の長さは、外観上、外装体１００の下端部１０９ａ，１０９ｂの長さと略等しくなるように設けられる。これらにより、吸収性部材２００は、非肌当接面側の表面に、外装体１００に固着された固着部２４２，２４４と、外装体１００から露出した露出部２４６と、を備える。このように、吸収性部材２００に外装体１００からの露出した領域を設けることで、露出領域におけるパンツ型吸収性物品１の厚さを低減することができ、着用者へのフィット性を向上し、パンツ型吸収性物品１を着用していることを外観上より目立たなくすることができる。
【００２３】
（外装体１００）
次に、図１から図６を参照して、外装体１００を説明する。図３は、本実施形態にかかるパンツ型吸収性物品１の腹側伸縮性制御領域３００ａを説明し、図４は、本実施形態にかかるパンツ型吸収性物品１の背側伸縮性制御領域３００ｂを説明するための説明図である。便宜上、図３においては、背側領域３２における吸収性部材２００の図示を省略し、腹側伸縮性制御領域３００ａを白黒のチェックパターンを付して示している。図４においても、同様に、腹側領域３１における吸収性部材２００の図示を省略し、背側伸縮性制御領域３００ｂを白黒のチェックパターンを付して示している。外装体１００は、腹側外装体１０２と背側外装体１０４とを含み、腹側外装体１０２の側端部と背側外装体１０４の側端部とは、相互に固着されてサイドシール部１５０をなす。なお、本実施形態では、外装体１００全体を伸縮シート部１２０で構成したものを用いて説明する。
【００２４】
図５は、本実施形態に係るパンツ型吸収性物品１の外装体１００に用いられる伸縮シート部１２０の一部を切り出し、説明の便宜上、各層を離間して図示した伸縮シート部１２０の構造説明図である。外装体１００は、少なくとも伸縮性フィルム１２６と表面材料である第１の不織シート１２２とを積層して、伸縮可能とした伸縮シート部１２０を少なくとも一部に備える。なかでも、図５に示すように、伸縮シート部１２０は、第１の不織シート１２２と第２の不織シート１２４との間に、伸縮性フィルム１２６が挟まれて一体化された第１の不織シート１２２／伸縮性フィルム１２６／第２の不織シート１２４の積層構造を有するものであることが好ましい。このような伸縮シート部１２０を外装体１００の少なくとも一部に備えることで、パンツ型吸収性物品１は、布製下着のように略全体的に収縮するという快適な着用感を供することができる。また、図示されるように、外装体１００の伸縮シート部１２０が、ウエスト開口部ＷＨおよび脚開口部ＬＨの少なくとも一部を定義するように設けられると、更に良好なフィット感を有するパンツ型吸収性物品１を得ることができる。
【００２５】
伸縮シート部１２０の第１の不織シート１２２と伸縮性フィルム１２６とは、熱や超音波による溶着などにより一体化され、ホットメルトタイプ等の接着剤を使用せずに固着されていることが好ましい。糸ゴムを使用せず、接着剤の使用量を低減することで、ごわごわとした感じを抑え、より布製下着に近い風合いをパンツ型吸収性物品１に与えることができるからである。
【００２６】
伸縮シート部１２０を構成する第１の不織シート１２２および第２の不織シート１２４の基材としては、例えば、スパンボンドやメルトブロー不織シート、あるいは、スパンボンド／メルトブロー、スパンボンド／メルトブロー／スパンボンドを積層した複合不織シート及びこれらの複合材料が例示される。また、伸縮性フィルム１２６は、表面材料である第１の不織シート１２２よりも大きい伸縮性を備えたものであればよい。例えば、伸縮性フィルム１２６は、不織シート１２２よりも伸縮性が大きい樹脂製の伸縮性フィルムであり、ポリエステル系エラストマー、ポリオレフィン系エラストマー、ポリウレタン系樹脂、ポリアミド系樹脂等から形成されたフィルムなどが例示される。なかでも、コスト及び伸縮性能の観点から、ポリウレタン系樹脂フィルムが好ましい。
【００２７】
伸縮シート部１２０は、非伸縮状態において、２０ｃｍ３／ｃｍ２・秒以上のＪＩＳ  Ｌ  １０９６−Ａ（フラジール法）：１９９０に基づいて測定される通気度を有してもよい。通気度が２０ｃｍ３／ｃｍ２・秒未満であると、着用時に蒸れ易くなる。通気度は、伸縮シート部１２０を構成する第１の不織シート１２２および第２の不織シート１２４の繊維や糸の太さ、織り密度、単位面積当たりの重さや、伸縮シート部１２０に設けられた開口部の開口面積率等により、自由に変えることができる。
【００２８】
また、伸縮シート部１２０は、伸縮方向に１５０％伸長したときに、５０ｃｍ３／ｃｍ２・秒以上のＪＩＳ  Ｌ  １０９６−Ａ（フラジール法）：１９９０に基づいて測定される通気度を有してもよい。ここで、伸縮方向に１５０％伸長したとは、非伸縮状態の伸縮シート部１２０の自然長Ｌ１に対する、特定の方向（伸縮方向）に伸縮シート部１２０を伸長して伸長状態としたときの長さＬ２の比率を示すものであって、伸長率＝Ｌ２／Ｌ１×１００［％］で計算されたものである。すなわち、例えば、非伸縮状態の自然長１０ｃｍの伸縮シート部１２を伸長方向に伸長させて１５ｃｍとした場合、伸縮方向に１５０％（＝１５／１０×１００）伸長したものとなる。通気度が５０ｃｍ３／ｃｍ２・秒未満であると、伸長された状態で使用する部位、例えば、おしり周りの部位に対して、着用時に蒸れ易くなる。
【００２９】
伸縮シート部１２０は、パンツ型吸収性物品１の長手方向および短手方向の二軸方向の両方において伸縮特性を有するものであることが好ましい。そして、伸縮シート部１２０は、パンツ型吸収性物品１の短手方向の伸縮性は、パンツ型吸収性物品１の長手方向の伸縮性よりも大きいことが好ましい。そして、着用者が着脱しやすいという観点から、第１の伸縮シート部は、短手方向に２００％以上２７０％以下の伸び率を有するものであることがさらに好ましい。
【００３０】
伸縮性フィルム１２６には複数の開口部が形成されていてもよい。これらの複数の開口部は、パンツ型吸収性物品１の外装体１００における通気性を向上し、かつ、伸縮性フィルム１２６の開口部による耐久性の低下を緩和するために、正面視において千鳥状に配置されていてもよい。また、これらの複数の開口部の形状は特に限定されず、例えば、長方形、楕円形、ひし形等であってもよい。
【００３１】
そして、図１に示すパンツ型吸収性物品１の正面視において、伸縮シート部１２０と吸収体２２０とによって、伸縮シート部１２０と吸収体２２０とが重複した領域である腹側重複領域Ｐｆおよび背側重複領域Ｐｂが、パンツ型吸収性物品１に定義される。図２から図４に示すように、外装体１００の伸縮シート部１２０には、この腹側重複領域Ｐｆに腹側伸縮性制御領域３００ａ、および、背側重複領域Ｐｂの背側伸縮性制御領域３００ｂの少なくとも一方を含む伸縮性制御領域３００を含む。この伸縮性制御領域３００は、伸縮性制御領域３００内の伸縮性フィルム１２６の少なくとも一部を破壊することで形成され、伸縮シート部１２０の伸縮性制御領域３００外の領域よりも伸縮性が低いものである。
【００３２】
従って、この伸縮性制御領域３００には、伸縮性フィルム１２６と第１の不織シート１２２とを含む第１の部分３０２と、伸縮性フィルム１２６の少なくとも一部が破壊されて、第１の部分３０２よりも伸縮性が低減した第２の部分３０４と、が形成される。なお、図６には、伸縮性制御領域３００の第１の部分３０２と第２の部分３０４との配置パターンの一例を拡大して示している。図２から図４、図６において、白黒チェックパターンのうち、黒部分が第１の部分３０２を示し、白部分が第２の部分３０４を示すものである。本実施形態のパンツ型吸収性物品１では、腹側伸縮性制御領域３００ａおよび背側伸縮性制御領域３００ｂにおいて、第１の部分３０２と第２の部分３０４とをすべて同一形状、大きさおよび配列としたものを示すが、腹側伸縮性制御領域３００ａおよび背側伸縮性制御領域３００ｂの第１の部分３０２と第２の部分３０４との形状、大きさおよび配列などの性質は部分的に異なるものでもよいことは言うまでもない。これによれば、布製下着のように略全体的に収縮するという快適な着用感を供することができるとともに、吸収性部材内の吸収体に意図しない変形が生じにくく、高い吸収性を維持することができる。
【００３３】
伸縮性制御領域３００内の伸縮性フィルム１２６の破壊は、単数または複数枚の切断刃によって第２の部分３０４の伸縮性フィルム１２６を部分的に切断したり、第２の部分３０４の伸縮性フィルム１２６を加圧ロールなどで加圧したりすることで、物理的に切断することで行うことができる。また、伸縮性制御領域３００内の伸縮性フィルム１２６の破壊は、第１の不織シート１２２と伸縮性フィルム１２６との積層状態において、第２の部分３０４のみに所定の強度の超音波を印加することによって伸縮性フィルム１２６を変性することによっても行うことができる。このようにして、第１の部分３０２の伸縮性フィルム１２６は、破壊されず、非破壊のままで残留することとなる。また、第１の不織シート１２２と第２の不織シート１２４との少なくとも一方も、非破壊または伸縮性フィルム１２６ほど破壊されずに、残留されることが好ましい。
【００３４】
さらに、図示は省略するが、ウエスト開口部ＷＨの周りおよび脚開口部ＬＨの周りの少なくとも一方において、上記同様に伸縮性フィルム１２６の少なくとも一部を破壊して、伸縮性が低減した伸縮性制御部を設けてもよい。これによれば、ウエスト開口部ＷＨの周りおよび脚開口部ＬＨの周りの伸縮性をより細かく制御することができ、パンツ型吸収性物品１のフィット性をさらに良好とすることができる。
【００３５】
図６に示すように、伸縮性制御領域３００には、複数の第１の部分３０２と複数の第２の部分３０４とが形成され、第１の部分３０２と第２の部分３０４とが交互に配置されることが好ましい。すなわち、伸縮性制御領域３００には、伸縮性が低減された第２の部分３０４が第１の部分３０２に挟まれて間欠的に配置されることとなる。例えば、図示されるように、伸縮性制御領域３００には、一辺の長さＡが０．３ｍｍ以上２．０ｍｍ以下の矩形形状である第１の部分３０２と、一辺の長さＢが０．３ｍｍ以上２．０ｍｍ以下の矩形形状である第２の部分３０４と、が交互に配置される。
【００３６】
さらに、伸縮性制御領域３００は、複数の第２の部分３０４が第１の部分３０２内に千鳥状に配列されたものであってもよい。これによれば、伸縮性制御領域３００の伸縮性を低減させやすく、かつ、破壊量が多くなり伸縮性フィルムが屑状を呈することによるパンツ型吸収性物品１の外観の劣化を防ぐことができる。
【００３７】
また、伸縮性フィルム１２６は、着色されたものであってもよい。これによれば、外観上、第１の部分３０２と第２の部分３０４との配置パターンを幾何学模様として視認させることができる。例えば、第１の部分３０２と第２の部分３０４とを千鳥状に配列した場合、第１の不織シート１２２を介して、この配置パターンを千鳥模様として視認させることができる。
【００３８】
次に、図７（ａ）〜（ｂ）および図８を用いて、本実施形態のパンツ型吸収性物品１の製造方法の一例を説明する。図７（ａ）は本発明の一実施形態に係るパンツ型吸収性物品１の製造方法の一例を説明するための製造ラインの部分概略図であり、図７（ｂ）は（ａ）の第３工程を説明する説明図である。また、図８は、図７（ａ）の第４工程を説明するための説明図であり、特に第４工程に使用する加工ロール５７およびアンビルロール５８を拡大して示す斜視説明図である。ここでは、パンツ型吸収性物品１の各部材となる連続体を長手方向に搬送しながら、パンツ型吸収性物品１を製造する製造方法を説明する。なお、便宜上、図７（ａ）〜（ｂ）および図８中、パンツ型吸収性物品１の各部材の符号を各部材の連続体の符号として用いている。
【００３９】
まず、図７（ａ）に示すように、第１工程として、伸縮性フィルム１２６となる連続体を回転ローラ５１から給送し、伸縮性フィルム１２６となる連続体に所定の張力をかけて上下に伸張して、伸長状態とする。所定の張力とは、伸縮性フィルム１２６を２００％以上、より好ましくは２５０±３０％伸張した状態をいう。続いて、第２工程では、回転ローラ５２ａから供給された第１の不織シート１２２となる連続体及び回転ローラ５２ｂから供給された第２の不織シート１２４となる連続体を、伸張した状態の伸縮性フィルム１２６となる連続体に積層する。
【００４０】
次に、第３工程では、積層された伸縮性フィルム１２６と第１の不織シート１２２と第２の不織シート１２４となる連続体を伸縮方向と直行する縦方向に実質的に連続したシール線を、伸縮方向に対して０．５ｍｍ以上２．０ｍｍ以下の間隔で全領域にわたって熱や超音波などによる溶着によって形成し、伸縮性フィルム１２６と第１の不織シート１２２と第２の不織シート１２４となる連続体を固着することで、伸縮シート部１２０となる連続体を形成する。
【００４１】
具体的には、図７（ｂ）に示すように、積層された伸縮性フィルム１２６と第１の不織シート１２２と第２の不織シート１２４とを接合ロール５３と他方の接合ロール５４で狭圧し、接合ロール５３の先端の端部５５と、他方の接合ロール５４の側面５６との接点を熱または超音波などで溶着することによって、シール線を形成する。このように、シール線を所定の間隔に形成し、第１の不織シート１２２と伸縮性フィルム１２６と第２の不織シート１２４となる連続体を一体化することによって、伸縮シート部１２０となる連続体の表面のシワが緩和され、伸縮シート部１２０の肌触りを滑らかにすることができる。
【００４２】
その後、図７（ａ）に示すように、第４工程において、回転する加工ロール５７とアンビルロール５８とで、伸縮シート部１２０となる連続体を挟んで、伸縮性制御領域３００の第２の部分３０４となる部分のみを加圧及び／又は加熱する。図８のように、加工ロール５７には、伸縮性制御領域３００となる領域に対応する突出部５９が表面に設けられている。そして、この突出部５９には、矩形形状の複数の凸状部（図８中、白部分で示される）が表面から突出して設けられ、凸状部がない領域に凹状部（図８中、黒部分で示される）が定義される。例えば、図示するように、凸状部と凹状部とが交互に設けられてもよいし、凸状部が凹状部内に千鳥状に配列されていてもよい。この凸状部によって伸縮性フィルム１２６を切断し、破壊することで第２の部分３０４が形成され、凹状部によって第１の部分３０２が形成される。かくして、伸縮性フィルム１２６と第１の不織シート１２２とを含む第１の部分３０２と、伸縮性フィルム１２６の少なくとも一部が破壊されて、第１の部分３０２よりも伸縮性が低減した第２の部分３０４と、が形成され、伸縮性制御領域３００，３００ａ，３００ｂが形成される。
【００４３】
なお、第４工程において、加工ロール５７の代わりに超音波ホーンを用いることで、第２の部分３０４のみに所定の強度の超音波を印加し、伸縮性制御領域３００内の伸縮性フィルム１２６の破壊を行ってもよい。
【００４４】
そして、図示しないが、伸縮シート部１２０となる連続体を更に搬送方向に給送し、カッターなどの切断装置を用いて、伸縮シート部１２０を外装体１００の形状に切断することにより、腹側外装体１０２および背側外装体１０４となる部分を形成する。続いて、トップシート、バックシートおよび吸収体２２０を少なくとも備える吸収性部材２００と、腹側外装体１０２および背側外装体１０４となる部分とを、ホットメルト接着剤などによって接合することで固着部２４２，２４４を形成する。そして、吸収性部材２００が位置する部分で折って、腹側外装体１０２および背側外装体１０４となる部分を対向して配置する。そして、溶着などによって腹側領域３１の腹側外装体１０２の側端部と背側領域３２の背側外装体１０４の側端部とを相互に固着することで、サイドシール部１５０を形成し、ウエスト開口部ＷＨおよび脚開口部ＬＨとが定義されたパンツ型吸収性物品１を得る。
【００４５】
上述の実施形態では、外装体１００が、腹側外装体１０２と背側外装体１０４とに分離されたものを用いて説明をしたが、図示しない股部領域３３に設けられた股部外装体を介して、腹側外装体１０２と背側外装体１０４とが一体的に形成されたものであってもよい。この場合、吸収性部材２００は、股部外装体の表面に固着されてもよい。
【００４６】
また、本実施形態では、腹側外装体１０２と背側外装体１０４とを含む外装体１００の全体が伸縮シート部１２０からなるものを用いて説明したが、腹側外装体１０２と背側外装体１０４との少なくとも一部であって、上記重複領域が伸縮シート部１２０を備えるものであればよく、腹側外装体１０２と背側外装体１０４とは、その一部が非伸縮状態となっているものであってもよい。例えば、腹側外装体１０２と背側外装体１０４とにおいて、伸縮シート部１２０は、パンツ型吸収性物品１の短手方向中央部を除いて、パンツ型吸収性物品１の短手方向側部のみに配設されていてもよい。
【００４７】
また、本実施形態では、吸収性部材２００が、吸収性部材２００の長手方向両端部のみにおいて、外装体１００の肌当接面側の表面に固着された固着部２４２，２４４を備えるものを説明したが、吸収性部材２００の長手方向端部以外の領域、または、吸収性部材２００の非肌当接面側の全表面において、外装体１００の肌当接面側の表面に固着されていてもよい。
【００４８】
さらにまた、本実施形態では、外装体１００として、伸縮シート部１２０のみを含むものを説明したが、外装体１００は補助シートなどの他の部材を含むものであってもよい。例えば、吸収性部材２００の長手方向両端部が着用者の肌に当たるのを防ぐために、少なくとも吸収性部材２００の長手方向端部を介して、伸縮シート部１２０に対向する部分に補助シートが配設されていてもよい。
【００４９】
以上、実施形態を用いて本発明を説明したが、本発明の技術的範囲は上記実施形態に記載の範囲には限定されないことは言うまでもない。上記実施形態に、多様な変更または改良を加えることが可能であることは当業者に明らかである。また、その様な変更または改良を加えた形態も本発明の技術的範囲に含まれ得ることが、特許請求の範囲の記載から明らかである。
【符号の説明】
【００５０】
１                          パンツ型吸収性物品
３１                        腹側領域
３２                        背側領域
３３                        股部領域
１００                      外装体
１０２                      腹側外装体
１０４                      背側外装体
１２０                      伸縮シート部
１２２                      第１の不織シート
１２４                      第２の不織シート
１２６                      伸縮性フィルム
１５０                      サイドシール部
１６１，１６２              弾性部材
２００                      吸収性部材
２２０                      吸収体
２４０，２４２，２４４      固着部
３００                      伸縮性制御領域
３００ａ                    腹側伸縮性制御領域
３００ｂ                    背側伸縮性制御領域
３０２                      第１の部分
３０４                      第２の部分
Ｐｆ                        腹側重複領域
Ｐｂ                        背側重複領域
ＷＨ                        ウエスト開口部
ＬＨ                        脚開口部
【図１】
2016202802.tif 000003
【図２】
2016202802.tif 000004
【図３】
2016202802.tif 000005
【図４】
2016202802.tif 000006
【図５】
2016202802.tif 000007
【図６】
2016202802.tif 000008
【図７】
2016202802.tif 000009
【図８】
2016202802.tif 000010